(57)【要約】  本発明の人の移動監視方法は、パブリックエリアからセキュアエリアへの人の移動経路における第一のポイントで、個人のバイオメトリクスデータおよび関連身元確認データを取得し、  セキュアエリアにおける第二のポイントで、個人のバイオメトリクスデータおよび関連身元確認データを取得し、第二のポイントにおいて取得された身元確認データを、第二のポイントで取得されたものと比較し、整合性がある場合には、この整合性のある身元確認データについて、第一のポイントで取得された関連イメージを、第二のポイントで取得された関連イメージと比較することを特徴とする。【選択図】  図１
2007506159.tif 000002
【特許請求の範囲】
【請求項１】
パブリックエリアからセキュアエリアへの人の移動経路における第一のポイントで、個人のバイオメトリクスデータおよび関連身元確認データを取得し、
セキュアエリアにおける第二のポイントで、個人のバイオメトリクスデータおよび関連身元確認データを取得し、
第二のポイントにおいて取得された身元確認データを、第二のポイントで取得されたものと比較し、整合性がある場合には、この整合性のある身元確認データについて、第一のポイントで取得された関連イメージを、第二のポイントで取得された関連イメージと比較することを特徴とする人の移動監視方法。
【請求項２】
第一のポイントおよび／または第二のポイントで取得された個人のバイオメトリクスデータおよび関連身元確認データが保存されることを特徴とする請求項１に記載の方法。
【請求項３】
空港に、第一および第二のポイントが設けられていることを特徴とする前記請求項のいずれか１つに記載の方法。
【請求項４】
第一のポイントが、搭乗券チェックインポイントであることを特徴とする前記請求項のいずれか１つに記載の方法。
【請求項５】
第二のポイントが、航空機搭乗ポイントであることを特徴とする前記請求項のいずれか１つに記載の方法。
【請求項６】
第一および／または第二のポイントで取得された個人のバイオメトリクスデータおよび関連身元確認データが、セキュアエリアから退出する人の移動経路における第三のポイントに転送されることを特徴とする前記請求項のいずれか１つに記載の方法。
【請求項７】
第三のポイントで個人のバイオメトリクスデータおよび関連身元確認データを取得し、
第三のポイントで取得された身元確認データを、転送されたデータにおけるものと比較し、整合性がある場合には、整合する身元確認データについて、転送されたデータにおける関連バイオメトリクスデータを、第三のポイントで取得された関連バイオメトリクスデータと比較することを特徴とする請求項６に記載の方法。
【請求項８】
第三のポイントが、降機空港に配置されていることを特徴とする請求項６または７に記載の方法。
【請求項９】
第三のポイントが、イミグレーションポイントであることを特徴とする請求項６〜８のいずれか１つに記載の方法。
【請求項１０】
セキュアエリア内に存在する間、人のバイオメトリクスデータを定期的に取得し、かつ、イメージを比較して、セキュアエリア内に存在するいずれかの人の疑わしい特徴を特定することを特徴とする前記請求項のいずれか１つに記載の方法。
【請求項１１】
航空機上にて定期的な人のバイオメトリクスデータの取得を実行することを特徴とする請求項１０に記載の方法。
【請求項１２】
第一のおよび／または第二のポイントで取得された個人のバイオメトリクスデータおよび関連身元確認データが、人がセキュアエリア内に存在する間に定期的に取得されたその人のバイオメトリクスデータと比較するために転送されることを特徴とする請求項１０または１１に記載の方法。
【請求項１３】
第三のポイントにおいて取得された人のバイオメトリクスデータおよび関連データと比較するために、人がセキュアエリア内に存在する間に定期的に取得されたその人のバイオメトリクスデータの少なくとも一部が、セキュアエリアから退出する人の移動経路における第三のポイントに転送されることを特徴とする請求項１０〜１２のいずれか１つに記載の方法。
【請求項１４】
前記バイオメトリクスデータが、イメージ、指紋、眼球走査データを含む群のうちの一つまたは複数よりなることを特徴とする前記請求項のいずれか１つに記載の方法。
【請求項１５】
パブリックエリアからセキュアエリアへの人の移動経路における第一のポイントで個人のバイオメトリクスデータを取得するための第一のバイオメトリクスデータ収集装置と、
関連身元確認データを保存するための第一のデータ記憶装置と、
セキュアエリア内の第二のポイントで個人のバイオメトリクスデータを取得するための第二のバイオメトリクスデータ収集装置と、
関連身元確認データを保存するための第二のデータ記憶装置と、および
第一のデータ記憶装置に保存された身元確認データを第二のデータ記憶装置に保存されたものと比較すると共に、整合性がある場合には、整合する身元確認データについて、第一のバイオメトリクスデータ収集装置によって取得された関連イメージを、第二のバイオメトリクスデータ収集装置によって取得された関連イメージと比較するための処理装置とを有してなることを特徴とする人の移動を監視するためのシステム。
【請求項１６】
第一のおよび第二のバイオメトリクスデータ収集装置が、空港に配置されていることを特徴とする請求項１５に記載のシステム。
【請求項１７】
第一のバイオメトリクスデータ収集装置が、搭乗券チェックインポイントに配置されていることを特徴とする請求項１５または１６に記載のシステム。
【請求項１８】
第二のバイオメトリクスデータ収集装置が、航空機搭乗ポイントに配置されていることを特徴とする請求項１５〜１７のいずれか１つに記載のシステム。
【請求項１９】
更に、第一のおよび／または第二のバイオメトリクスデータ収集装置により取得された個人のバイオメトリクスデータおよび関連身元確認データを、セキュアエリアから退出する人の移動経路における第三のポイントに配置された第三のデータ記憶装置に転送する転送装置を有してなることを特徴とする請求項１５〜１８のいずれか１つに記載のシステム。
【請求項２０】
更に、第三のポイントに配置された、個人のバイオメトリクスデータを取得するための第三のバイオメトリクスデータ収集装置を有してなり、第三のデータ記憶装置が関連身元確認データを保存し、および
第三のバイオメトリクスデータ収集装置によって取得された身元確認データを転送されたデータにおけるものと比較し、整合性のある場合には、整合する身元確認データについて、転送されたデータにおける関連バイオメトリクスデータを、第三のバイオメトリクスデータ収集装置によって取得された関連バイオメトリクスデータと比較するための第二の処理装置を有してなることを特徴とする請求項１９に記載のシステム。
【請求項２１】
第三のバイオメトリクスデータ収集装置および第三のデータ記憶装置が、降機空港に配置されていることを特徴とする請求項１９または２０に記載のシステム。
【請求項２２】
第三のバイオメトリクスデータ収集装置および第三のデータ収集装置が、イミグレーションポイントに配置されていることを特徴とする請求項１９〜２１のいずれか１つに記載のシステム。
【請求項２３】
人がセキュアエリア内に存在する間、その人のバイオメトリクスデータを定期的に取得すると共に、セキュアエリア内に存在するいずれかの人の疑わしい特徴を特定するための第四のバイオメトリクスデータ収集装置を有してなることを特徴とする請求項１５〜２２のいずれか１つに記載のシステム。
【請求項２４】
第四のバイオメトリクスデータ収集装置が、航空機上に配置されていることを特徴とする請求項２３に記載のシステム。
【請求項２５】
第一の転送装置が、第一のおよび／または第二のポイントで取得された個人のバイオメトリクスデータおよび関連身元確認データを、人がセキュアエリア内に存在する間に定期的に取得されたその人のバイオメトリクスデータと比較するために転送することを特徴とする請求項２３または２４に記載のシステム。
【請求項２６】
更に、第三のポイントにおいて取得された人のバイオメトリクスデータおよび関連データと比較するために、人がセキュアエリア内に存在する間に定期的に取得されたその人のバイオメトリクスデータの少なくとも一部を、セキュアエリアから退出する人の移動経路における第三のポイントに転送するための第二の転送装置を有してなることを特徴とする請求項２３〜２５のいずれか１つに記載のシステム。
【請求項２７】
前記バイオメトリクスデータが、イメージ、指紋、眼球走査データを含む群のうちの一つまたは複数よりなることを特徴とする請求項１５〜２６のいずれか１つに記載のシステム。
【請求項２８】
パブリックエリアからセキュアエリアへの人の移動経路における第一のポイントにおいて個人のバイオメトリクスデータおよび関連身元確認データを取得し、
セキュアエリアの第二のポイントにおいて、個人のバイオメトリクスデータおよび関連身元確認データを取得し、および
第二のポイントにおいて取得された身元確認データを、第二のポイントで取得されたものと比較し、整合性がある場合には、整合する身元確認データについて、第一のポイントにおいて取得された関連イメージを、第二のポイントで取得された関連イメージと比較することによりなる、人の移動を監視する方法を実行するために、コンピュータに指示を出すための電子計算機コーディング手段が搭載されていることを特徴とする電子計算機読取可能データ記録用媒体。
【発明の詳細な説明】
【技術分野】
【０００１】
本発明は、概して人の移動監視方法およびシステム、および人の移動監視方法を実行するためにコンピュータに指示するための電子計算機コーディング手段が搭載された、電子計算機読取可能データ記録用媒体に関する。
【背景技術】
【０００２】
現在、パスポートが、入国し、出国するための旅客の身元確認に用いられる唯一の書類である。 しかしながら、目的地に到達する前に、例えば成り済まし、パスポートにおけるデータおよび写真の偽造などの不正行為が行われる可能性がある。イミグレーション係官にとって、パスポートの所持者が確かにパスポート中に記載された人なのかを確認することは困難である。イミグレーション係官は、いくつかの類似点がある以上、乗客が更に続行することを許可する。イミグレーション係官は日々非常にたくさんのパスポートに目を通すため、パスポートの所持者が法的執行機関により手配されているかを視覚的に認識することは、冗長で退屈である。これは、手配犯が侵入、逃亡、または彼らが目的に向かって前進するための余地を与えてしまう。
【０００３】
現在世界が直面しているテロリズムには、セキュリティシステムにおける技術の革新の助力を得て取り組むことができる。入国および出国する乗客の移動を追跡するためのセキュリティシステムを適合化させ、並びに高めることが特に必要である。これは、手配犯の国外逃亡を防止すると共に、セキュリティの脅威に対して自由な旅客が構えることを防止することとなる。
【０００４】
現存する個人の身元の確認方法には、乗客の詳細を手作業で確認するイミグレーション係官が含まれている。これは、非効率的なだけではなく、セキュリティ上の過失が増大する結果となる。
【発明の開示】
【発明が解決しようとする課題】
【０００５】
入国および／または出国する乗客をスクリーニングし、監視するエミグレーション、イミグレーション係官並びに他の人々を補助することができる方法およびシステムが必要とされている。
【課題を解決するための手段】
【０００６】
本発明の第一の形態によれば、パブリックエリアからセキュアエリアへの人の移動経路における第一のポイントで、個人のバイオメトリクスデータおよび関連身元確認データを取得し、セキュアエリアにおける第二のポイントで、個人のバイオメトリクスデータおよび関連身元確認データを取得し、第二のポイントにおいて取得された身元確認データを、第二のポイントで取得されたものと比較し、整合性がある場合には、この整合性のある身元確認データについて、第一のポイントで取得された関連イメージを、第二のポイントで取得された関連イメージと比較することを特徴とする人の移動監視方法が提供される。
【０００７】
この方法においては、第一のポイントおよび／または第二のポイントで取得された個人のバイオメトリクスデータおよび関連身元確認データが保存されてもよい。
【０００８】
空港に、第一および第二のポイントが設けられていてもよく、第一のポイントが、搭乗券チェックインポイントであってもよく、第二のポイントが、航空機搭乗ポイントであってもよい。
【０００９】
上記の方法においては、第一および／または第二のポイントで取得された個人のバイオメトリクスデータおよび関連身元確認データが、セキュアエリアから退出する人の移動経路における第三のポイントに転送されてもよい。
【００１０】
上記の方法においては、第三のポイントで個人のバイオメトリクスデータおよび関連身元確認データを取得し、第三のポイントで取得された身元確認データを、転送されたデータにおけるものと比較し、整合性がある場合には、整合する身元確認データについて、転送されたデータにおける関連バイオメトリクスデータを、第三のポイントで取得された関連バイオメトリクスデータと比較してもよい。
【００１１】
第三のポイントが、降機空港に配置されていてもよく、また、第三のポイントが、イミグレーションポイントであってもよい。
【００１２】
上記の方法においては、セキュアエリア内に存在する間、人のバイオメトリクスデータを定期的に取得し、かつ、イメージを比較して、セキュアエリア内に存在するいずれかの人の疑わしい特徴を特定してもよい。
【００１３】
航空機上にて定期的な人のバイオメトリクスデータの取得を実行することもできる。
【００１４】
上記の方法においては、更に、第一のおよび／または第二のポイントで取得された個人のバイオメトリクスデータおよび関連身元確認データが、人がセキュアエリア内に存在する間に定期的に取得されたその人のバイオメトリクスデータと比較するために転送されてもよい。
【００１５】
上記の方法においては、更に、第三のポイントにおいて取得された人のバイオメトリクスデータおよび関連データと比較するために、人がセキュアエリア内に存在する間に定期的に取得されたその人のバイオメトリクスデータの少なくとも一部が、セキュアエリアから退出する人の移動経路における第三のポイントに転送されてもよい。
【００１６】
前記バイオメトリクスデータが、イメージ、指紋、眼球走査データを含む群のうちの一つまたは複数よりなるものであってもよい。
【００１７】
本発明の第二の形態によれば、パブリックエリアからセキュアエリアへの人の移動経路における第一のポイントで個人のバイオメトリクスデータを取得するための第一のバイオメトリクスデータ収集装置と、関連身元確認データを保存するための第一のデータ記憶装置と、セキュアエリア内の第二のポイントで個人のバイオメトリクスデータを取得するための第二のバイオメトリクスデータ収集装置と、関連身元確認データを保存するための第二のデータ記憶装置と、および第一のデータ記憶装置に保存された身元確認データを第二のデータ記憶装置に保存されたものと比較すると共に、整合性がある場合には、整合する身元確認データについて、第一のバイオメトリクスデータ収集装置によって取得された関連イメージを、第二のバイオメトリクスデータ収集装置によって取得された関連イメージと比較するための処理装置とを有してなることを特徴とする人の移動を監視するためのシステムが提供される。
【００１８】
第一のおよび第二のバイオメトリクスデータ収集装置が、空港に配置されており、第一のバイオメトリクスデータ収集装置が、搭乗券チェックインポイントに配置されており、第二のバイオメトリクスデータ収集装置が、航空機搭乗ポイントに配置されていてもよい。
【００１９】
上記のシステムは、更に、第一のおよび／または第二のバイオメトリクスデータ収集装置により取得された個人のバイオメトリクスデータおよび関連身元確認データを、セキュアエリアから退出する人の移動経路における第三のポイントに配置された第三のデータ記憶装置に転送する転送装置を有してなるものであってもよい。
【００２０】
上記のシステムは、更に、第三のポイントに配置された、個人のバイオメトリクスデータを取得するための第三のバイオメトリクスデータ収集装置を有してなり、第三のデータ記憶装置が関連身元確認データを保存し、および第三のバイオメトリクスデータ収集装置によって取得された身元確認データを転送されたデータにおけるものと比較し、整合性のある場合には、整合する身元確認データについて、転送されたデータにおける関連バイオメトリクスデータを、第三のバイオメトリクスデータ収集装置によって取得された関連バイオメトリクスデータと比較するための第二の処理装置を有してなるものであってもよい。
【００２１】
第三のバイオメトリクスデータ収集装置および第三のデータ記憶装置が、降機空港に配置されており、第三のバイオメトリクスデータ収集装置および第三のデータ収集装置が、イミグレーションポイントに配置されていてもよい。
【００２２】
上記のシステムは、更に、人がセキュアエリア内に存在する間、その人のバイオメトリクスデータを定期的に取得すると共に、セキュアエリア内に存在するいずれかの人の疑わしい特徴を特定するための第四のバイオメトリクスデータ収集装置を有してなるものであってもよい。
【００２３】
第四のバイオメトリクスデータ収集装置が、航空機上に配置されていてもよい。
【００２４】
第一の転送装置が、第一のおよび／または第二のポイントで取得された個人のバイオメトリクスデータおよび関連身元確認データを、人がセキュアエリア内に存在する間に定期的に取得されたその人のバイオメトリクスデータと比較するために転送するものであってもよい。
【００２５】
上記のシステムは、更に、第三のポイントにおいて取得された人のバイオメトリクスデータおよび関連データと比較するために、人がセキュアエリア内に存在する間に定期的に取得されたその人のバイオメトリクスデータの少なくとも一部を、セキュアエリアから退出する人の移動経路における第三のポイントに転送するための第二の転送装置を有してなるものであってもよい。
【００２６】
前記バイオメトリクスデータが、イメージ、指紋、眼球走査データを含む群のうちの一つまたは複数よりなるものであってもよい。
【００２７】
本発明の第三の形態によれば、パブリックエリアからセキュアエリアへの人の移動経路における第一のポイントにおいて個人のバイオメトリクスデータおよび関連身元確認データを取得し、セキュアエリアの第二のポイントにおいて、個人のバイオメトリクスデータおよび関連身元確認データを取得し、および第二のポイントにおいて取得された身元確認データを、第二のポイントで取得されたものと比較し、整合性がある場合には、整合する身元確認データについて、第一のポイントにおいて取得された関連イメージを、第二のポイントで取得された関連イメージと比較することよりなる、人の移動を監視する方法を実行するために、コンピュータに指示を出すための電子計算機コーディング手段が搭載されていることを特徴とする電子計算機読取可能データ記録用媒体が提供される。
【発明を実施するための最良の形態】
【００２８】
空路での移動における乗客の追跡に採用されるセキュリティシステム１００の実施態様例が、図１に示されている。これは、正確な認識および乗客の追跡により可能とされる。個人は、彼らの顔認証、指紋認証、網膜／虹彩認証その他などのバイオメトリクス的特徴を利用することにより、認識される。この実施態様例におけるデータの転送は、無線技術により行われる。知能的に空路の旅客の移動を追跡するために、コンピュータ−視野が採用されている。
【００２９】
図１は、空港セキュリティシステム１００を含む実施態様例を示している。このシステム１００は、乗機空港３００、航空機４００および降機空港５００を包含する。
【００３０】
実施態様例における乗機空港３００は、三つのエリア、すなわち、ランドサイドエリア３０１、エミグレーションエリア３０７およびエアサイドエリア３０９により構成されている。
【００３１】
ランドサイドエリア３０１は、降機空港３００における公衆によりアクセス可能なエリアをさし、すなわち、エミグレーション３０７より手前のエリアである。ランドサイドエリア３０１は、空港チェックインまたは航空券発券カウンター３０５の近傍に配置されたビデオカメラ３０３を包含する。チェックインカウンター３０５に配置された係員は、搭乗券を発行する際に、乗客の身分証明、パスポートの有効性、ビザなどの形式的事項のチェックをする。
【００３２】
ビデオカメラ３０３は、空港チェックインカウンター３０５において乗客がチェックインをしている際に、当該乗客のイメージをキャプチャする。
【００３３】
エミグレーションエリア３０７は、政府機関からの係官以外の乗客に対して立入禁止とされている。これらの係官は、乗客の身分証明、出国許可証明、旅行が禁止されている乗客の身分証明、手配犯の身分証明などの詳細を審査する。
【００３４】
エアサイドエリア３０９は、乗客に制限されたエリア、すなわちエミグレーション３０７通過後のエリアをさす。エアサイドエリア３０９は、搭乗ゲートチェックインカウンターの近傍に配置されたビデオカメラ３１１を包含する。ビデオカメラ３１１は、航空機４００に搭乗する前の乗客のイメージ（確証用）をキャプチャする。
【００３５】
降機空港３００におけるランドサイドエリア３０１およびエアサイドエリア３０９の両方のセキュリティシステムは、ローカルエリア有線または無線ネットワーク３１９並びに遠隔審査許可サーバ３２１を通じて相互にリンクされている。
【００３６】
無線アンテナ３１５は、エアサイドエリア３０９の近傍に配設されて、乗客データをそれぞれの航空機４００（無線周波数で）に無線モデム３１７を通じて転送する。単純に、航空機４００からの乗客データもアンテナ３１５によって、処理のために受信することができる。
【００３７】
アンテナ３１５によって転送された乗客データは、航空機４００のアンテナ４０１および無線モデム４０３によって受信される。モデム４０３により受信されたデータは、機載サーバ４０５によって処理される。機載カメラ４０７は、航空機内に設置されて、航空機に搭乗している乗客のイメージを取得する。これらのカメラからのイメージは、処理のためにサーバ４０５に向けても転送される。実施態様例においては、機載カメラ４０７は、乗客の各々の上方に設けられてもよく、並びに、正しい整合性のために定期的に監視される。あるいは、機載カメラ４０７は、それぞれの乗客の液晶テレビ（ＬＣＤ  ＴＶ）モニターに並んで、または一体的に設けることもできる。
【００３８】
実施態様例における降機空港５００は、三つのエリア、すなわちランドサイドエリア５１３、イミグレーションエリア５０７およびエアサイドエリア５０５により構成されている。
【００３９】
ランドサイドエリア５１３は、降機空港５００における公衆によりアクセス可能なエリアをさし、すなわち、イミグレーション５０７通過後のエリアである。
【００４０】
イミグレーションエリア５０７は、イミグレーションカウンター５１１の近傍に配置されたビデオカメラ５０９を包含する。ビデオカメラ５０９は、乗客が降機空港５００に到着した際に、当該乗客のイメージをキャプチャする。イミグレーション係官は、乗客の身分証明、ビザ、旅行が禁止されている乗客の身分証明、手配犯の身分証明などの乗客の詳細を審査する。
【００４１】
エアサイドエリア５０５は、空港５００で降機して到着する乗客のみに限定されている。
【００４２】
無線アンテナ５０１は、無線モデム５０３を通じてそれぞれの航空機４００（無線周波数で）から乗客データを受信するためにエアサイドエリア５０５の近傍に配設される。同様に、乗客データは、アンテナ５０１により処理のために航空機４００に送信することもできる。
【００４３】
アンテナ５０１および無線モデム５０３を通じて受信された乗客データは、ローカルエリア有線または無線ネットワークを介して、データの処理のために降機空港５００のイミグレーションサーバ５１５に送られる。
【００４４】
乗機空港３００のローカルエリアネットワーク３１９および降機空港５００のローカルエリアネットワーク５１５は、グローバル有線または無線ワイドエリアネットワーク４０９によって相互にリンクされている。
【００４５】
空港チェックインカウンター３０５において乗客がチェックインする再に、ビデオカメラ３０３によって撮られた当該乗客のイメージは、下記の手法により処理される。
１．イメージは、法的執行機関により手配されている個人の、既存のデータベースで確証され、乗客が、当該手配犯のうちの一人でないことが確定される。矛盾が生じている場合には、空港チェックインカウンター３０５のスタッフは空港警備、警察またはエミグレーション３０７に至急警告する。
２．イメージは、乗客の確認を、当該乗客のイメージと手配されている個人等のイメージとの間の整合性をとることにより行うために、必要に応じて降機空港５００および／またはその他の当局等に送信され、並びに
３．イメージは、将来参照するために空港データベースに送信される。空港チェックインカウンター３０５のスタッフは、パスポート写真および／またはパスポート項目などの乗客のデータをタイプ入力し、スキャン入力し若しくは記入する。このデータは、ビデオカメラ３０３によってキャプチャされた乗客の写真と共に、乗機空港３００の遠隔審査許可サーバ３２１に保存される。
【００４６】
乗機空港３００のエアサイドエリア３０９では、搭乗ゲートチェックインカウンターの近傍に配置された他のビデオカメラ３１１が、乗客の写真をキャプチャする。乗客の写真は、当該乗客のパスポート項目が添付されて、空港３００のサーバ３２１に送信され、ここで、搭乗ゲートチェックインカウンター３１３において撮影された写真が、チェックインカウンター３０５において撮影された前出の写真のものと比較される。これにより、航空機に搭乗する乗客が、空港チェックインカウンター３０５において事前にチェックインした人物と同一であることを保証することができる。
【００４７】
サーバ３２１に保存されたリアルタイム乗客データは、無線式に航空機４０５上のサーバ（「機載サーバ」）に転送される。
【００４８】
離陸前および旅の途中において、乗客が航空機４００に座っている間、乗客の各々の顔前に設けられたカメラ４０７によって乗客の写真が繰り返して撮影される。これにより、乗客の移動の監視および追跡が補助される。乗客の繰り返しイメージは、コンピュータ４０５による、機内サーバ４０５の乗客データベースに保存するために最適な写真の選択を行うためにも用いられる。強調された乗客のイメージは、乗客を更に正確かつ安全に認識するために利用することができる。航空機サーバ４０５に保存された乗客データは、遠隔審査サーバ３２１における乗客のデータと整合性が取られる。相違がある場合には、乗機空港３００、航空機４００、または降機空港５００における警備員に対して、必要な行動をとるよう警告がなされる。
【００４９】
航空機４００上にてカメラ４０７によってキャプチャされた写真は、航空機４００内の乗客の不審な行為を特定することにも利用されてもよい。不審な行為とは、特に限定されるものではないが、そわそわした行動、過剰な菓子類の摂取、乗客の定常的な筋肉の緊縮並びに異常／連続的な眼球の動きなどの神経質的な兆候などを含む。しかしながら、不審な行動は、単に乗客が飛行することへの恐怖によるものであるかもしれないため、乗客を不審と認識しないように注意をしなければならない。
【００５０】
イミグレーションの係員が、その国において手配されている人物を特定することが可能となるように、旅行の途中、航空機上の乗客のイメージが、無線式に降機空港５００のイミグレーションサーバ５１７に転送されてもよい。
【００５１】
航空機が目的地に到達する前に、イミグレーション係官は、すでに乗客のデータを受け取り、調査を済ませていることとなる。したがって、更なる注意／質問が必要な人物の特定が簡単であり、または手配リストに記載されている乗客の逮捕することさえ容易である。しかも、イミグレーション５０７の側にカメラ５０９により撮影された乗客のイメージは、降機地ポイントに到着した乗客が、出発したまたは乗機空港３００で搭乗した者と同一人物であるかを確認するために処理されてもよい。パスポートデータを、パスポートが不正に改ざんされず、空港にて用いられた物と同一のものであることを確定するためにクロスチェックをしてもよい。
【００５２】
乗機地サーバ３２１および降機地サーバ５１７に保存された乗客の写真は、乗客が将来次の旅行をするときに、検索されおよび参照されてもよい。
【００５３】
図２は、図１に示される空港セキュリティシステム１００の実施態様例における工程フローの一例を示す。
【００５４】
工程フローは、ステップ２０１から開始される。ステップ２０３では、発券／チェックインカウンターの航空会社／空港スタッフが、搭乗券を発行し、乗客のプロファイルおよび乗客のイメージを記録する。
【００５５】
ステップ２０５では、乗客のチェックインプロファイルが乗機空港の遠隔審査許可サーバデータベースに保存される。
【００５６】
ステップ２０７では、搭乗ゲートチェックインカウンターで、航空会社／空港スタッフが乗客の確証を行い、並びに乗客の詳細を鮮明なイメージと共に再記録して、乗客の確証プロファイルを作成する。
【００５７】
ステップ２０９では、乗客の確証プロファイルが遠隔審査許可サーバのデータベースに保存される。
【００５８】
ステップ２１３では、乗客の確証プロファイルを含むデータベースが、グローバル有線および／または無線ワイドエリアネットワークを介して降機空港のイミグレーションサーバに複写される。
【００５９】
ステップ２１１では、遠隔審査許可サーバからのデータベース（乗客確証プロファイルを含む）が、機載サーバに無線式で転送され、複写される。
【００６０】
ステップ２１５では、機載サーバおよび機載カメラのネットワークは、旅中において繰り返し乗客を撮影し、および監視する。
【００６１】
ステップ２１７では、機載サーバからの乗客のデータを含むデータベースが、イミグレーションサーバに無線式で転送されると共に、このデータのコピーが降機地の国におけるイミグレーションサーバに保存される。
【００６２】
ステップ２１９では、一旦乗機地の空港での乗客の記録と降機地の空港での当該記録が整合する場合には、入国する乗客が降機地の空港におけるいずれの当局によっても手配されていなければ、イミグレーションの係官が乗客の通過を許可する。
【００６３】
実施態様例のセキュリティシステムは、容疑者を認識するためにイミグレーション係官を補助するバイオメトリクスおよび知的技術を採用する。このシステムは、乗客が不審な行為をとった場合には、更なる観察および必要な対応のために適切な当局に警告を発する。知的技術は、乗客の行為および動作の分析に用いられてもよい。
【００６４】
実施態様例に記載のセキュリティシステムは、空路での旅行において多様な応用を有している。空路での旅客の監視に利用されてもよく、また、チェックインする乗客、航空機内に着席している乗客および到着ポイントでチェックアウトする乗客が同一であることを確実とするために利用されてもよい。これは、実施態様例では、発券／チェックインカウンター、搭乗ゲート、航空機、イミグレーションにおいて乗客のイメージをキャプチャ（ビデオカメラにより）すると共に、乗客のパスポート／プロファイルに対して当該イメージを処理することにより達成される。また、航空機に搭乗中に撮影された乗客の繰り返しイメージが、乗客の外観に非整合性が存在しないかまたは誰か不審な行動をする者がいないかチェックするために比較される。更に、システムは、法的執行機関により手配されている人または入国または出国が禁止されている乗客の審査をも補助する。システムは、チェックインした乗客が行方不明であることが判明した場合および当該乗客が搭乗ゲートまたは到着ポイントに現れないときに、これを探知しおよび警告をすることも可能である。
【００６５】
本発明の実施態様は、下記の技術を利用するものであってもよい。
１．個人の認証のための、特に制限されないが、顔認証、指紋認証、網膜／虹彩認証その他のバイオメトリクス技術の採用。
２．データ転送を目的とした無線技術。
３．物体追跡のためのコンピュータビジョンに基づいた技術。
４．航空機内のサーバ、ソフトウェアおよび乗客データを保存するためのデータベース。
５．空港内のサーバ、ソフトウェアおよび乗客データを保存するためのデータベース。
６．航空機内の適切な機載エアラインコンピュータ、インターフェースおよびソフトウェア。
７．発券／チェックイン／搭乗／イミグレーションカウンターでのカメラ。
【００６６】
実施態様例の方法およびシステムは、図３に概略的に示されている通り、コンピュータシステム８００で実施することができる。当該方法およびシステムは、コンピュータシステム８００内で実行されて、コンピュータシステム８００に対して、実施態様例の方法を実行するよう指示するコンピュータプログラムなどのソフトウェアとして実施されてもよい。
【００６７】
コンピュータシステム８００は、コンピュータモジュール８０２、キーボード８０４およびマウス８０６などの入力モジュール並びにディスプレイ８０８、およびプリンタ８１０などの複数の出力装置を含んでなる。
【００６８】
コンピュータモジュール８０２は、例えば、インターネット若しくはローカルエリアネットワーク（ＬＡＮ）またはワイドエリアネットワーク（ＷＡＮ）などのその他のネットワークシステムにアクセスできるよう、適当な無線通信装置８１４を介してコンピュータネットワーク８１２に接続されている。
【００６９】
この例のコンピュータモジュール８０２は、プロセッサ８１８、ランダムアクセスメモリ（ＲＡＭ）８２０および読取専用メモリ（ＲＯＭ）８２２を含んでなる。また、コンピュータモジュール８０２は、例えばディスプレイ８０８に対するＩ／Ｏインターフェース８２４、並びにキーボード８０４に対するＩ／Ｏインターフェース８２６などの多数の入力／出力（Ｉ／Ｏ）インターフェース、をも含んでなる。
【００７０】
コンピュータモジュール８０２の構成要素は、通常、接続バス８２８を介して、および当業者に周知の態様で通信する。
【００７１】
アプリケーションプログラムは、通常、コンピュータシステム８００のユーザに対して、ＣＤ−ＲＯＭまたはフロッピーディスク（登録商標）などのデータ記録用媒体にエンコードされて提供され、および対応するデータ記憶装置８３０の適合するデータ記録用媒体ドライブを利用することにより読み出される。アプリケーションプログラムは、プロセッサ８１８による実行において読取られおよび制御される。プログラムデータの中間保存はＲＡＭ８２０を用いることにより達成されてもよい。
【００７２】
特定の実施形態に示されるように、広く詳述されている本発明の趣旨および範囲を逸脱しない限りにおいて本願本発明において多数の変形例および／または変更を行うことが可能であることが当業者には理解されるであろう。従って、本実施形態は、すべての点において明らかでありおよび限定的でないと考察されるべきである。
【００７３】
乗客の身分証明が作成されるステージの数は、増加されてもよい。追加のカメラが、エミグレーションエリア３０７およびエアサイドエリア５０５に配設されていてもよい。
【００７４】
実施態様例においては、乗客の認識が、乗客の写真を顔認証ソフトウェアを利用して比較することにより実現され、または、指紋認証、および／または網膜／虹彩認証技術などのその他の認証方法が利用されてもよい。
【００７５】
本発明の実施態様は、警備員、エミグレーションおよびイミグレーション係官、航空会社スタッフ並びにその他の者が、建物、会場、エリアまたは国若しくは航空機の機上またはその他のいかなる態様の輸送機関に立入る、または退出する潜在的に危険な人物を、例えば出発前および到着に際してリアルタイムで利用可能な乗客情報を作成することにより、認識する補助をするものであってもよい。
【００７６】
本発明の実施態様によれば、税関通過許可の速度向上が可能であり、従って、効率化が可能である。当該システムは、乗客の身元認識の正確性のレベルの増加を補助するものであってもよい。これらによれば、セキュリティに妥協することなく旅客が税関を迅速に通過することができる早期の「グリーンレーン効果」の取得につながる可能性すらある。
【００７７】
本発明の実施態様は、単純な情報の整合の代わりに物理的な整合性が提供されるため空港におけるセキュリティレベルの増加を補助するものであってもよい。システムは、パスポートの所有者が、航空機に搭乗している人物と同一であることを確認する。
【００７８】
本発明の実施態様は、航海、電車による旅行その他についても適用することも可能である。電車による旅行の場合には、初期チェックは発券カウンターにて行われてもよく、および乗客の認識は、プラットホームの入り口または電車の入り口で行われてもよい。この場合には、乗客は、証明カードによって認識されてもよく、または虹彩認証などのバイオメトリクスデータにより承認されてもよい。本発明は、スポーツ複合施設、または認証が必要となるその他のイベントなどの会場への入場券の発行に適用されてもよい。
【００７９】
本発明の実施態様は、搭乗券がインターネットを介して購入される場合においても利用することができる。購入の時、購入者により写真および証明カード、パスポートデータなどの情報が提供され、当該情報が法的執行機関により手配されている者の写真と比較される。入場券を有する人物が空港、スタジアムその他に入場した場合、入場ポイントにて証明の詳細がチェックされる。当該人物の物理的外観の変化があった場合、または当該人物が法的執行機関により手配されている場合には、システムが警備員に必要な対応をとるよう警告を発する。
【図面の簡単な説明】
【００８０】
【図１】空港で採用される、本発明の実施の態様の一例を示す外略図である。
【図２】図１に示す実施の態様例における工程を図示するフローチャートの一例である。
【図３】本発明の実施の態様例における方法およびシステムを実行するためのコンピュータを示す外略図である。
【図１】
2007506159.tif 000003
【図２】
2007506159.tif 000004
【図３】
2007506159.tif 000005
【手続補正書】
【提出日】平成17年7月11日(2005.7.11)
【手続補正１】
【補正対象書類名】特許請求の範囲
【補正対象項目名】全文
【補正方法】変更
【補正の内容】
【特許請求の範囲】
【請求項１】
パブリックエリアからセキュアエリアへの人の移動経路における第一のポイントで、個人のバイオメトリクスデータおよび関連身元確認データを取得し並びに保存し、
セキュアエリアにおける第二のポイントで、個人のバイオメトリクスデータおよび関連身元確認データを取得し並びに保存し、
第一のポイントにおいて取得された身元確認データを、第二のポイントで取得されたものと比較し、整合性がある場合には、この整合性のある身元確認データについて、第一のポイントで取得された関連バイオメトリクスデータを、第二のポイントで取得された関連バイオメトリクスデータと比較することを特徴とする人の移動監視方法。
【請求項２】
第一のポイントおよび／または第二のポイントで取得された個人のバイオメトリクスデータおよび関連身元確認データが保存されることを特徴とする請求項１に記載の方法。
【請求項３】
空港に、第一および第二のポイントが設けられていることを特徴とする前記請求項のいずれか１つに記載の方法。
【請求項４】
第一のポイントが、搭乗券チェックインポイントであることを特徴とする前記請求項のいずれか１つに記載の方法。
【請求項５】
第二のポイントが、航空機搭乗ポイントであることを特徴とする前記請求項のいずれか１つに記載の方法。
【請求項６】
第一および／または第二のポイントで取得された個人のバイオメトリクスデータおよび関連身元確認データが、セキュアエリアから退出する人の移動経路における第三のポイントに転送されることを特徴とする前記請求項のいずれか１つに記載の方法。
【請求項７】
第三のポイントで個人のバイオメトリクスデータおよび関連身元確認データを取得し並びに保存し、
第三のポイントで取得された身元確認データを、転送されたデータにおけるものと比較し、整合性がある場合には、整合する身元確認データについて、転送されたデータにおける関連バイオメトリクスデータを、第三のポイントで取得された関連バイオメトリクスデータと比較することを特徴とする請求項６に記載の方法。
【請求項８】
第三のポイントが、降機空港に配置されていることを特徴とする請求項６または７に記載の方法。
【請求項９】
第三のポイントが、イミグレーションポイントであることを特徴とする請求項６〜８のいずれか１つに記載の方法。
【請求項１０】
セキュアエリア内に存在する間、人のバイオメトリクスおよび関連身元確認データを定期的に取得し並びに保存し、かつ、バイオメトリクスおよび関連身元確認データを比較して、セキュアエリア内に存在するいずれかの人の不審な行為の兆候を特定することを特徴とする前記請求項のいずれか１つに記載の方法。
【請求項１１】
航空機上にて定期的な人のバイオメトリクスおよび関連身元確認データの取得並びに保存を実行することを特徴とする請求項１０に記載の方法。
【請求項１２】
第一のおよび／または第二のポイントで取得された個人の、バイオメトリクスおよび関連身元確認データが、人がセキュアエリア内に存在する間に定期的に取得されたその人のバイオメトリクスデータと比較するために転送されることを特徴とする請求項１０または１１に記載の方法。
【請求項１３】
第三のポイントにおいて取得された人のバイオメトリクスデータおよび関連データと比較するために、人がセキュアエリア内に存在する間に定期的に取得されたその人のバイオメトリクスおよび関連身元確認データの少なくとも一部が、セキュアエリアから退出する人の移動経路における第三のポイントに転送されることを特徴とする請求項１０〜１２のいずれか１つに記載の方法。
【請求項１４】
前記バイオメトリクスデータが、イメージ、指紋、網膜走査データ、および虹彩走査データからなる群のうちの一つまたは複数よりなることを特徴とする前記請求項のいずれか１つに記載の方法。
【請求項１５】
バイオメトリクスデータおよび／または関連身元確認データを、当局および／または審査サーバから得られたデータと比較することを特徴とする前記請求項のいずれか１つに記載の方法。
【請求項１６】
パブリックエリアからセキュアエリアへの人の移動経路における第一のポイントで個人のバイオメトリクスデータを取得するための第一のバイオメトリクスデータ収集装置と、
第一のポイントで取得されたバイオメトリクスおよび関連身元確認データを保存するための第一のデータ記憶装置と、
セキュアエリア内の第二のポイントで個人のバイオメトリクスおよび関連身元確認データを取得するための第二のバイオメトリクスデータ収集装置と、
バイオメトリクスおよび関連身元確認データを保存するための第二のデータ記憶装置と、および
第一のデータ記憶装置に保存された身元確認データを第二のデータ記憶装置に保存されたものと比較すると共に、整合性がある場合には、整合する身元確認データについて、第一のバイオメトリクスデータ収集装置によって取得された関連バイオメトリクスデータを、第二のバイオメトリクスデータ収集装置によって取得された関連バイオメトリクスデータと比較するための処理装置とを有してなることを特徴とする人の移動を監視するためのシステム。
【請求項１７】
第一のおよび第二のバイオメトリクスデータ収集装置が、空港に配置されていることを特徴とする請求項１６に記載のシステム。
【請求項１８】
第一のバイオメトリクスデータ収集装置が、搭乗券チェックインポイントに配置されていることを特徴とする請求項１６または１７に記載のシステム。
【請求項１９】
第二のバイオメトリクスデータ収集装置が、航空機搭乗ポイントに配置されていることを特徴とする請求項１６〜１８のいずれか１つに記載のシステム。
【請求項２０】
更に、第一のおよび／または第二のバイオメトリクスデータ収集装置により取得された個人のバイオメトリクスデータおよび関連身元確認データを、セキュアエリアから退出する人の移動経路における第三のポイントに配置された第三のデータ記憶装置に転送する転送装置を有してなることを特徴とする請求項１６〜１９のいずれか１つに記載のシステム。
【請求項２１】
更に、第三のポイントに配置された、個人のバイオメトリクスデータを取得するための第三のバイオメトリクスデータ収集装置を有してなり、第三のデータ記憶装置が、第三のポイントで取得されたバイオメトリクスデータおよび関連身元確認データを保存し、および
第三のバイオメトリクスデータ収集装置によって取得された身元確認データを転送されたデータにおけるものと比較し、整合性のある場合には、整合する身元確認データについて、転送されたデータにおける関連バイオメトリクスデータを、第三のバイオメトリクスデータ収集装置によって取得された関連バイオメトリクスデータと比較するための第二の処理装置を有してなることを特徴とする請求項２０に記載のシステム。
【請求項２２】
第三のバイオメトリクスデータ収集装置および第三のデータ記憶装置が、降機空港に配置されていることを特徴とする請求項２０または２１に記載のシステム。
【請求項２３】
第三のバイオメトリクスデータ収集装置および第三のデータ記憶装置が、イミグレーションポイントに配置されていることを特徴とする請求項２０〜２２のいずれか１つに記載のシステム。
【請求項２４】
人がセキュアエリア内に存在する間、その人のバイオメトリクスおよび関連身元確認データを定期的に取得し、保存すると共に、セキュアエリア内に存在するいずれかの人の不審な行為の兆候を特定するための第四のバイオメトリクスデータ収集装置並びに第四のデータ記憶装置を有してなることを特徴とする請求項１６〜２３のいずれか１つに記載のシステム。
【請求項２５】
第四のバイオメトリクスデータ収集装置並びに第四のデータ記憶装置が、航空機上に配置されていることを特徴とする請求項２４に記載のシステム。
【請求項２６】
第一の転送装置が、第一のおよび／または第二のポイントで取得された個人の、バイオメトリクスデータおよび関連身元確認データを、人がセキュアエリア内に存在する間に定期的に取得されたその人のバイオメトリクスデータと比較するために第四のデータ記憶装置に転送することを特徴とする請求項２４または２５に記載のシステム。
【請求項２７】
更に、第三のポイントにおいて取得された人のバイオメトリクスおよび関連身元確認データと比較するために、人がセキュアエリア内に存在する間に定期的に取得されたその人のバイオメトリクスおよび関連身元確認データの少なくとも一部を、セキュアエリアから退出する人の移動経路における第三のポイントに転送するための第二の転送装置を有してなることを特徴とする請求項２４〜２６のいずれか１つに記載のシステム。
【請求項２８】
前記バイオメトリクスデータが、イメージ、指紋、網膜走査データ、および虹彩走査データからなる群のうちの一つまたは複数よりなることを特徴とする請求項１６〜２７のいずれか１つに記載のシステム。
【請求項２９】
バイオメトリクスデータおよび／または関連身元確認データを、当局および／または審査サーバから得られたデータと比較することを特徴とする請求項１６〜２８のいずれか１つに記載のシステム。
【請求項３０】
パブリックエリアからセキュアエリアへの人の移動経路における第一のポイントにおいて個人のバイオメトリクスデータおよび関連身元確認データを取得し並びに保存し、
セキュアエリアの第二のポイントにおいて、個人のバイオメトリクスデータおよび関連身元確認データを取得し並びに保存し、および
第一のポイントにおいて取得された身元確認データを、第二のポイントで取得されたものと比較し、整合性がある場合には、整合する身元確認データについて、第一のポイントにおいて取得された関連バイオメトリクスデータを、第二のポイントで取得された関連バイオメトリクスデータと比較することよりなる、人の移動を監視する方法を実行するために、コンピュータに指示を出すための電子計算機コーディング手段が搭載されていることを特徴とする電子計算機読取可能データ記録用媒体。
【手続補正２】
【補正対象書類名】明細書
【補正対象項目名】０００６
【補正方法】変更
【補正の内容】
【０００６】
本発明の第一の形態によれば、
パブリックエリアからセキュアエリアへの人の移動経路における第一のポイントで、個人のバイオメトリクスデータおよび関連身元確認データを取得し並びに保存し、
セキュアエリアにおける第二のポイントで、個人のバイオメトリクスデータおよび関連身元確認データを取得し並びに保存し、
第一のポイントにおいて取得された身元確認データを、第二のポイントで取得されたものと比較し、整合性がある場合には、この整合性のある身元確認データについて、第一のポイントで取得された関連バイオメトリクスデータを、第二のポイントで取得された関連バイオメトリクスデータと比較することを特徴とする人の移動監視方法が提供される。
【手続補正３】
【補正対象書類名】明細書
【補正対象項目名】００１０
【補正方法】変更
【補正の内容】
【００１０】
上記の方法においては、
第三のポイントで個人のバイオメトリクスデータおよび関連身元確認データを取得し並びに保存し、
第三のポイントで取得された身元確認データを、転送されたデータにおけるものと比較し、整合性がある場合には、整合する身元確認データについて、転送されたデータにおける関連バイオメトリクスデータを、第三のポイントで取得された関連バイオメトリクスデータと比較してもよい。
【手続補正４】
【補正対象書類名】明細書
【補正対象項目名】００１２
【補正方法】変更
【補正の内容】
【００１２】
上記の方法においては、セキュアエリア内に存在する間、人のバイオメトリクスおよび関連身元確認データを定期的に取得し並びに保存し、かつ、バイオメトリクスおよび関連身元確認データを比較して、セキュアエリア内に存在するいずれかの人の不審な行為の兆候を特定してもよい。
【手続補正５】
【補正対象書類名】明細書
【補正対象項目名】００１３
【補正方法】変更
【補正の内容】
【００１３】
航空機上にて定期的な人のバイオメトリクスおよび関連身元確認データの取得し並びに保存を実行することもできる。
【手続補正６】
【補正対象書類名】明細書
【補正対象項目名】００１４
【補正方法】変更
【補正の内容】
【００１４】
上記の方法においては、更に、第一のおよび／または第二のポイントで取得された個人の、バイオメトリクスおよび関連身元確認データが、人がセキュアエリア内に存在する間に定期的に取得されたその人のバイオメトリクスデータと比較するために転送されてもよい。
【手続補正７】
【補正対象書類名】明細書
【補正対象項目名】００１５
【補正方法】変更
【補正の内容】
【００１５】
上記の方法においては、更に、第三のポイントにおいて取得された人のバイオメトリクスデータおよび関連データと比較するために、人がセキュアエリア内に存在する間に定期的に取得されたその人のバイオメトリクスおよび関連身元確認データの少なくとも一部が、セキュアエリアから退出する人の移動経路における第三のポイントに転送されてもよい。
【手続補正８】
【補正対象書類名】明細書
【補正対象項目名】００１６
【補正方法】変更
【補正の内容】
【００１６】
前記バイオメトリクスデータが、イメージ、指紋、網膜走査データ、および虹彩走査データからなる群のうちの一つまたは複数よりなるものであってもよい。
この方法においては、バイオメトリクスデータおよび／または関連身元確認データを、当局および／または審査サーバから得られたデータと比較することもできる。
【手続補正９】
【補正対象書類名】明細書
【補正対象項目名】００１７
【補正方法】変更
【補正の内容】
【００１７】
本発明の第二の形態によれば、
パブリックエリアからセキュアエリアへの人の移動経路における第一のポイントで個人のバイオメトリクスデータを取得するための第一のバイオメトリクスデータ収集装置と、
第一のポイントで取得されたバイオメトリクスおよび関連身元確認データを保存するための第一のデータ記憶装置と、
セキュアエリア内の第二のポイントで個人のバイオメトリクスおよび関連身元確認データを取得するための第二のバイオメトリクスデータ収集装置と、
バイオメトリクスおよび関連身元確認データを保存するための第二のデータ記憶装置と、および
第一のデータ記憶装置に保存された身元確認データを第二のデータ記憶装置に保存されたものと比較すると共に、整合性がある場合には、整合する身元確認データについて、第一のバイオメトリクスデータ収集装置によって取得された関連バイオメトリクスデータを、第二のバイオメトリクスデータ収集装置によって取得された関連バイオメトリクスデータと比較するための処理装置とを有してなることを特徴とする人の移動を監視するためのシステムが提供される。
【手続補正１０】
【補正対象書類名】明細書
【補正対象項目名】００２０
【補正方法】変更
【補正の内容】
【００２０】
上記のシステムは、更に、
第三のポイントに配置された、個人のバイオメトリクスデータを取得するための第三のバイオメトリクスデータ収集装置を有してなり、第三のデータ記憶装置が、第三のポイントで取得されたバイオメトリクスデータおよび関連身元確認データを保存し、および
第三のバイオメトリクスデータ収集装置によって取得された身元確認データを転送されたデータにおけるものと比較し、整合性のある場合には、整合する身元確認データについて、転送されたデータにおける関連バイオメトリクスデータを、第三のバイオメトリクスデータ収集装置によって取得された関連バイオメトリクスデータと比較するための第二の処理装置を有してなるものであってもよい。
【手続補正１１】
【補正対象書類名】明細書
【補正対象項目名】００２２
【補正方法】変更
【補正の内容】
【００２２】
上記のシステムは、更に、人がセキュアエリア内に存在する間、その人のバイオメトリクスおよび関連身元確認データを定期的に取得し、保存すると共に、セキュアエリア内に存在するいずれかの人の不審な行為の兆候を特定するための第四のバイオメトリクスデータ収集装置並びに第四のデータ記憶装置を有してなるものであってもよい。
【手続補正１２】
【補正対象書類名】明細書
【補正対象項目名】００２３
【補正方法】変更
【補正の内容】
【００２３】
第四のバイオメトリクスデータ収集装置並びに第四のデータ記憶装置が、航空機上に配置されていてもよい。
【手続補正１３】
【補正対象書類名】明細書
【補正対象項目名】００２４
【補正方法】変更
【補正の内容】
【００２４】
第一の転送装置が、第一のおよび／または第二のポイントで取得された個人の、バイオメトリクスデータおよび関連身元確認データを、人がセキュアエリア内に存在する間に定期的に取得されたその人のバイオメトリクスデータと比較するために第四のデータ記憶装置に転送するものであってもよい。
【手続補正１４】
【補正対象書類名】明細書
【補正対象項目名】００２５
【補正方法】変更
【補正の内容】
【００２５】
上記のシステムは、更に、第三のポイントにおいて取得された人のバイオメトリクスおよび関連身元確認データと比較するために、人がセキュアエリア内に存在する間に定期的に取得されたその人のバイオメトリクスおよび関連身元確認データの少なくとも一部を、セキュアエリアから退出する人の移動と共に第三のポイントに転送するための第二の転送装置を有してなるものであってもよい。
【手続補正１５】
【補正対象書類名】明細書
【補正対象項目名】００２６
【補正方法】変更
【補正の内容】
【００２６】
前記バイオメトリクスデータが、イメージ、指紋、網膜走査データ、および虹彩走査データからなる群のうちの一つまたは複数よりなるものであってもよい。
このシステムにおいては、バイオメトリクスデータおよび／または関連身元確認データを、当局および／または審査サーバから得られたデータと比較することもできる。
【手続補正１６】
【補正対象書類名】明細書
【補正対象項目名】００２７
【補正方法】変更
【補正の内容】
【００２７】
本発明の第三の形態によれば、パブリックエリアからセキュアエリアへの人の移動経路における第一のポイントにおいて個人のバイオメトリクスデータおよび関連身元確認データを取得し並びに保存し、
セキュアエリアの第二のポイントにおいて、個人のバイオメトリクスデータおよび関連身元確認データを取得し並びに保存し、および
第一のポイントにおいて取得された身元確認データを、第二のポイントで取得されたものと比較し、整合性がある場合には、整合する身元確認データについて、第一のポイントにおいて取得された関連バイオメトリクスデータを、第二のポイントで取得された関連バイオメトリクスデータと比較することよりなる、人の移動を監視する方法を実行するために、コンピュータに指示を出すための電子計算機コーディング手段が搭載されていることを特徴とする電子計算機読取可能データ記録用媒体が提供される。
【国際調査報告】
2007506159.tif 000006
2007506159.tif 000007